(57)【要約】【課題】通常の配送伝票として機能すると同時に、ＩＣタグとして使用する際には、金属による影響を受けずにデータの読み書きを安定して、正確に行えるようにする。【解決手段】表面に荷物配送管理情報記入欄を備え、裏面にＩＣタグインレットを取り外し可能に保持した伝票本体1が、透明な表面を有し、裏面の全面に粘着剤層12及びそれを被覆する剥離紙13を備えた袋2内に収納される。袋は、荷物の被巻着部に巻着される巻付け部分14と、巻付け部分が荷物の被巻着部に巻着されたとき荷物から離れて位置するフラップ部分15とからなる。巻付け部分及びフラップ部分の間には切取線16が設けられ、剥離紙には、袋の切取線に対応する位置に第１の切断線17が設けられ、切取線と交差する袋の縁から間隔をあけて縁に平行に第２の切断線18a、18bが設けられ、伝票本体は、袋が荷物の被巻着部に巻着される時袋のフラップ部分の領域内に収納される。【選択図】図１
2005055752.tif 000002
【特許請求の範囲】
【請求項１】
表面に荷物配送管理情報記入欄を備え、裏面には、ＩＣチップおよび前記ＩＣチップに電気的に接続されたアンテナ回路を備えたＩＣタグインレットを取り外し可能に保持した伝票本体が、前記伝票本体の荷物配送管理情報を視認可能とするべく少なくとも表面が透明に形成され、裏面にその全面にわたって粘着剤層および前記粘着剤層を被覆する剥離紙を備えた袋内に収納されたものからなるＩＣタグインレット付伝票において、
前記袋は、前記粘着剤層によって荷物の被巻着部に巻着される巻付け部分と、前記巻付け部分が前記荷物の被巻着部に巻着されたとき前記荷物から離れて配置されるフラップ部分とからなり、前記巻付け部分および前記フラップ部分の間には、前記フラップ部分を前記荷物の被巻着部に巻着された前記巻付け部分から切り離すための切取線が設けられ、
前記剥離紙には、前記袋の切取線に対応する位置に第１の切断線が設けられ、前記切取線と交差する前記袋の縁から所定の間隔をあけて前記縁に平行に第２の切断線が設けられ、
前記伝票本体は、前記袋が前記荷物の被巻着部に巻着されるとき、前記袋のフラップ部分の領域内に収納されることを特徴とする袋に収納されたＩＣタグインレット付伝票。
【請求項２】
前記荷物は取っ手付旅行鞄であり、前記荷物の前記旅行鞄の取っ手であることを特徴とする請求項１に記載の袋に収納されたＩＣタグインレット付伝票。
【請求項３】
前記伝票本体は、それぞれの荷物配送管理情報記入欄が表面に印刷され、ミシン目を介して順次連結された、少なくとも、荷送人控え、荷受人控え兼荷札および到着原票が前記ミシン目に沿って折り畳まれたものからなり、前記ＩＣタグインレットは、前記荷受人控え兼荷札の裏面に取り外し可能に保持されていることを特徴とする請求項１または請求項２に記載の袋に収納されたＩＣタグインレット付伝票。
【請求項４】
前記伝票本体は、それぞれの荷物配送管理情報記入欄が表面に印刷され、ミシン目によって切取り可能に順次上下に重ね合わせて綴じられた、少なくとも、荷送人控え、荷受人控え兼荷札および到着原票からなり、前記ＩＣタグインレットは、前記荷受人控え兼荷札の裏面に取り外し可能に保持されていることを特徴とする請求項１または請求項２に記載の袋に収納されたＩＣタグインレット付伝票。
【発明の詳細な説明】
【技術分野】
【０００１】
本発明は、表面に荷物配送管理情報記入欄を備え、裏面には、ＩＣチップおよびＩＣチップに電気的に接続されたアンテナ回路を備えたＩＣタグインレットを取り外し可能に保持した伝票本体が、伝票本体の荷物配送管理情報を視認可能とするべく少なくとも表面が透明に形成され、裏面にその全面にわたって粘着剤層および粘着剤層を被覆する剥離紙を備えた袋内に収納されたものからなるＩＣタグインレット付伝票に関するものである。
【背景技術】
【０００２】
物流の分野においては、配送作業の効率化を図るべく、ＩＣタグインレットを従来の配送伝票に組み込み、それを荷物に貼り付けて使用する方法が急速に普及してきている。（特許文献１〜３参照）
この方法によれば、配送伝票に必要な荷物配送管理情報が記入または印刷され、またバーコード表記された後、配送伝票裏面の粘着剤を被覆する剥離紙が剥がされ、配送伝票が粘着剤によって荷物に貼り付けられる。
こうして、通常の配送伝票として使用されると同時に、ＩＣタグ用リーダ／ライタを使用することによって、電波を用いて無線で、ＩＣタグインレットのＩＣチップに対して必要なデータが読み書きされる。
また、配送伝票の使用後には、ＩＣタグインレットは回収され、再利用されるようになっている。
【０００３】
ところで、荷物の包装には、紙袋やダンボール、プラスチックケース、木箱、布袋等に加えて金属製のバッグやケースも多く利用されている。さらには、金属製の包装だけでなく、荷物の中身が金属系の家電製品や精密機器等である場合も多い。
この場合、ＩＣタグインレット付伝票が、金属系の包装がなされた荷物、あるいは非金属系の包装がなされていても中身の大部分が金属製品からなる荷物の表面に貼り付けられ、よって、ＩＣタグインレットがこれらの金属に密着または近接していると、ＩＣタグ用リーダ／ライタから送出される電波が金属に吸収され、ＩＣタグに対するデータの読み書きが不能になるか、あるいは、データの読み書き可能な距離が極端に減少する等の問題が生じる。
【特許文献１】特開平９−１６７３６号公報
【特許文献２】特開２００２−２１１７５５号公報
【特許文献３】特開２００１−２２９３５７号公報
【発明の開示】
【発明が解決しようとする課題】
【０００４】
したがって、本発明の課題は、通常の配送伝票として機能すると同時に、ＩＣタグとして使用する際には、金属等による影響を受けることなくデータの読み書きを安定してかつ高精度で行うことができるＩＣタグインレット付伝票を提供することにある。
【課題を解決するための手段】
【０００５】
上記課題を解決するため、本発明によれば、表面に荷物配送管理情報記入欄を備え、裏面には、ＩＣチップおよび前記ＩＣチップに電気的に接続されたアンテナ回路を備えたＩＣタグインレットを取り外し可能に保持した伝票本体が、前記伝票本体の荷物配送管理情報を視認可能とするべく少なくとも表面が透明に形成され、裏面にその全面にわたって粘着剤層および前記粘着剤層を被覆する剥離紙を備えた袋内に収納されたものからなるＩＣタグインレット付伝票において、前記袋は、前記粘着剤層によって荷物の被巻着部に巻着される巻付け部分と、前記巻付け部分が前記荷物の被巻着部に巻着されたとき前記荷物から離れて配置されるフラップ部分とからなり、前記巻付け部分および前記フラップ部分の間には、前記フラップ部分を前記荷物の被巻着部に巻着された前記巻付け部分から切り離すための切取線が設けられ、前記剥離紙には、前記袋の切取線に対応する位置に第１の切断線が設けられ、前記切取線と交差する前記袋の縁から所定の間隔をあけて前記縁に平行に第２の切断線が設けられ、前記伝票本体は、前記袋が前記荷物の被巻着部に巻着されるとき、前記袋のフラップ部分の領域内に収納されることを特徴とする袋に収納されたＩＣタグインレット付伝票が構成される。
【０００６】
本発明の好ましい実施例によれば、前記荷物は取っ手付旅行鞄であり、前記荷物の前記旅行鞄の取っ手である。
本発明の別の好ましい実施例によれば、前記伝票本体は、それぞれの荷物配送管理情報記入欄が表面に印刷され、ミシン目を介して順次連結された、少なくとも、荷送人控え、荷受人控え兼荷札および到着原票が前記ミシン目に沿って折り畳まれたものからなり、前記ＩＣタグインレットは、前記荷受人控え兼荷札の裏面に取り外し可能に保持されている。
本発明の別の好ましい実施例によれば、前記伝票本体は、それぞれの荷物配送管理情報記入欄が表面に印刷され、ミシン目によって切取り可能に順次上下に重ね合わされて綴じられた、少なくとも、荷送人控え、荷受人控え兼荷札および到着原票からなり、前記ＩＣタグインレットは、前記荷受人控え兼荷札の裏面に取り外し可能に保持されている。
【発明の効果】
【０００７】
本発明によれば、ＩＣタグインレットを保持した伝票本体をそのまま袋に収納し、袋の裏面から剥離紙を剥がし、袋を粘着剤によって荷物に貼着することによって、通常の配送伝票として使用することができる。一方、伝票をＩＣタグとして使用する際には、ＩＣタグインレットを保持した伝票本体を折り畳んで袋のフラップ部分の領域内に収納するとともに、袋の巻付け部分の裏面から剥離紙を剥がし、巻付け部分を粘着剤によって荷物の被巻着部に巻着することによって、ＩＣタグを荷物から離して配置することができ、それによって、金属系の荷物や荷物の包装の影響を受けることなく、ＩＣタグに対するデータの読み書きを安定して高精度で行うことができる。
また、本発明によれば、ＩＣタグインレットを伝票本体に取り外し可能に保持したことにより、使用済のＩＣタグインレットを回収し、再利用することができ、資源の有効活用および環境保護を達成することもできる。
【発明を実施するための最良の形態】
【０００８】
以下、添付図面を参照して本発明の好ましい実施例について説明する。図１は、本発明の１実施例による袋に収納されたＩＣタグインレット付伝票を示したものであり、（Ａ）は伝票本体が収納される袋の表面の平面図であり、（Ｂ）は伝票本体が袋に収納された状態の伝票表面の平面図であり、（Ｃ）は袋の裏面の平面図であり、（Ｄ）は（Ｂ）の部分的な側断面図である。また、図２は、図１の実施例による伝票本体の表面の平面図である。
【０００９】
図１を参照して、本発明による伝票は、ＩＣタグインレットを取り外し可能に保持した伝票本体１が、袋２内に収納されたものからなっている。図２に示されるように、伝票本体１は、それぞれの荷物配送管理情報記入欄３が表面に印刷され、ミシン目４を介して順次連結された、少なくとも、荷送人控え５、荷受人控え兼荷札６および到着原票７がミシン目４に沿って折り畳まれたものからなっており、ＩＣタグインレット８は、荷受人控え兼荷札６の裏面に取り外し可能に保持されている。荷送人控え５は、配送業者が集荷の際に荷物の受領印を押して荷送人に渡す控えであり、荷受人控え兼荷札６は、荷物の配送の際に荷受人に渡される控えおよび荷物に付される荷札であり、到着原票７は、荷物の配送の際に配送業者が荷受人の受領印をもらって回収するものである。
【００１０】
なお、伝票本体１の構成は、この実施例に限定されるものではなく、例えば、伝票本体を、それぞれの荷物配送管理情報記入欄が表面に印刷され、ミシン目によって切取り可能に順次上下に重ね合わされて綴じられた、少なくとも、荷送人控え、荷受人控え兼荷札および到着原票から構成し、ＩＣタグインレットを、荷受人控え兼荷札の裏面に取り外し可能に保持する構成とすることもできる。
【００１１】
図６は、ＩＣタグインレット８の平面図である。図６に示されるように、ＩＣタグインレット８は、シート基材１１の表面上にＩＣチップ９およびＩＣチップ９に電気的に接続されたアンテナ回路１０を配置したものからなっている。
再び図１を参照して、袋２は、プラスチック、例えばポリエチレンから形成されており、伝票本体１の荷物配送管理情報を視認可能とするべく少なくとも表面が透明に形成され、裏面にその全面にわたって粘着剤層１２および粘着剤層１２を被覆する剥離紙１３ａ〜１３ｆを備えている。
【００１２】
袋２は、本発明の伝票がＩＣタグとして使用される場合に、粘着剤層１２によって荷物の被巻着部に巻着される巻付け部分１４と、巻付け部分１４が荷物の被巻着部に巻着された時に荷物から離れて配置されるフラップ部分１５とからなっている。荷物の被巻着部は、例えば、旅行鞄の取っ手、リュックサックのストラップまたはキャリッジカートの取っ手等からなっている。
また、巻付け部分１４およびフラップ部分１５の間には、フラップ部分１５を荷物の被巻着部に巻着された巻付け部分１４から切り離すための切取線１６が設けられている。
剥離紙１３には、袋２の切取線１６に対応する位置に第１の切断線１７が設けられ、切取線１６と交差する袋２の縁２ａ、２ｂから所定の間隔をあけて縁２ａ、２ｂに平行に第２の切断線１８ａ、１８ｂが設けられている。これら第１および第２の切断線１７、１８ａ、１８ｂによって、剥離紙は複数の部分１３ａ〜１３ｆに分割されている。この場合、第２の切断線１８ａ、１８ｂによって分割された剥離紙部分１３ｃ〜１３ｆが剥がされたときに露出する粘着剤層１２は、本発明の伝票が、ＩＣタグとして使用されるのに先だって、通常の配送伝票として使用される場合に、この伝票を荷物に貼着するために使用されるものであり、伝票を再び荷物から剥ぎ取り可能な程度の粘着力を生じさせる面積を有していることが好ましい。よって、第２の切断線１８ａ、１８ｂは、袋２の縁２ａ、２ｂからそれぞれ１〜１．５ｃｍ離れた位置に設けられることが好ましい。
袋２の表面の巻付け部分１４側の端縁近傍には、スリット状の開口１９が形成されている。
【００１３】
本発明による伝票は、例えば、海外旅行に出かける顧客の航空荷物、例えば、旅行鞄を自宅から国内の空港まで陸上輸送し、さらに、国内の空港から旅行先の空港まで航空輸送する場合の伝票として使用することができる。
この場合、まず最初、陸上輸送業者によって、予め、伝票本体１の荷物配送管理情報記入欄３に荷物配送管理情報が記入または印刷され、また、ＩＣチップ９には対応する荷物配送管理情報が記録された後、袋２に収納されて、顧客（荷送人）に渡される。そして、陸上輸送業者による荷物の集荷の際に、袋２から伝票本体１が取り出され、伝票本体１の荷送人控え５に受領印が押された後、荷送人控え５がミシン目４で切り取られて荷送人に渡される。伝票本体１の荷受人控え兼荷札６および到着原票７がミシン目４に沿って折り畳まれ、図３（Ａ）に示されるように、荷送人控え兼荷札６の荷物配送管理情報が袋２の表面から見えるようにして、伝票本体１が袋２内に収納され、さらに、図３（Ｂ）に示されるように、剥離紙１３ｃ〜１３ｆが切断線１８ａ、１８ｂに沿って袋２の裏面から剥がされ、露出した粘着剤層１２によって、図３（Ｃ）に示されるように、袋２が旅行鞄２０の外側底面２０ａに貼着される。
【００１４】
こうして、伝票本体１の荷受人控え兼荷札６の荷物配送管理情報に基づいて、陸上輸送業者による荷送人の自宅から国内の空港まで荷物が配送される。すなわち、陸上輸送の間には、本発明の伝票は通常の配送伝票として機能する。
荷物は、陸上輸送業者によって荷物が国内の空港に配送され、航空輸送業者に引き渡される。この引き渡しの際に、袋２が旅行鞄２０の外側底面２０ａから剥がされて袋２から伝票本体１が取り出され、航空輸送業者によって到着原票７に受領印が押され、到着原票７がミシン目７で切り取られて陸上輸送業者によって回収される。
【００１５】
残った荷受人控え兼荷札６は、半分に折り畳まれ（このとき、ＩＣタグインレット８は、荷受人控え兼荷札６の一方の折り片側にある。）、袋２のフラップ部分１５の領域内に収納されるとともに、図４（Ａ）に示されるように、袋２の巻付け部分１４の裏面に残った剥離紙１３ａが切断線１７に沿って剥がされ、袋２のフラップ部分１５の裏面に残った剥離紙１３ｂの上に重ねて貼着される。そして、図４（Ｂ）に示されるように、袋２の巻付け部分１４が、露出した粘着剤１２によって旅行鞄２０の取っ手２０ｂに巻着される。このとき、フラップ部分１５、よってＩＣタグインレット８は、旅行鞄２０から離れて配置されるので、旅行鞄２０が金属製であっても、あるいは旅行鞄２０の中身の大部分が金属製品からなっていても、これらの金属の影響を受けることなく、ＩＣタグに対するデータの読み書きを安定して高精度で行うことができる。
こうして、本発明の伝票は、ＩＣタグとして使用され、ＩＣタグ用リーダ／ライタを用いて、電波によって無線で、旅行鞄２６の取っ手２０ｂに巻着されたＩＣタグからデータが読み込まれ、あるいはＩＣタグにデータが書き込まれることにより、国内の空港から旅行先の空港までの旅行鞄の配送業務に利用される。
【００１６】
旅行先の空港に到着した旅行鞄は、顧客（荷送人）に受け取られる。そして、図５（Ａ）に示されるように、旅行鞄２０の取っ手２０ｂに袋２の巻付け部分１４が巻着された状態で、フラップ部分１５が、その中に収納された伝票本体１（荷受人控え兼荷札６）およびＩＣタグインレット８とともに、切取線１６に沿って切り取られ、フラップ部分１５の裏面に残された剥離紙１３ａ、１３ｂが剥がされた後、図５（Ｂ）に示されるように、フラップ部分１５が、伝票本体１（荷受人控え兼荷札６）およびＩＣタグインレット８をその中に収納した状態で、旅行鞄２０の外側底面２０ａに貼着される。フラップ部分１５に収納された伝票本体１（荷受人控え兼荷札６）およびＩＣタグインレット８は、帰路における旅行鞄の配送業務の際に使用され、ＩＣタグインレット８はその間に回収される。
【００１７】
こうして、本発明による伝票によれば、ＩＣタグインレットを取り外し可能に保持した伝票本体を袋に収納し、袋の裏面から剥離紙を剥がし、袋を粘着剤によって荷物に貼着することによって、通常の配送伝票として使用することができる。一方、ＩＣタグとして使用する際には、ＩＣタグインレットを取り外し可能に保持した伝票本体を折り畳んで袋のフラップ部分の領域内に収納するとともに、袋の巻付け部分の裏面から剥離紙を剥がし、巻付け部分を粘着剤によって荷物の被巻着部に巻着することにより、ＩＣタグを荷物から離して配置することができ、それによって、金属系の荷物や荷物の包装の影響を受けることなく、ＩＣタグに対するデータの読み書きを安定して高精度で行うことができる。
また、本発明によれば、ＩＣタグインレットを伝票本体に取り外し可能に保持したことにより、使用済のＩＣタグインレットを回収し、再利用することができ、資源を有効活用し、環境保護に寄与することもできる。また、ＩＣタグを回収し、再利用することにより、ＩＣタグを安価に提供することが可能になる。
【図面の簡単な説明】
【００１８】
【図１】本発明の１実施例による袋に収納されたＩＣタグインレット付伝票を示したものであり、（Ａ）は袋の表面の平面図であり、（Ｂ）は袋の裏面の平面図であり、（Ｃ）は伝票本体が袋に収納された状態の伝票表面の平面図であり、（Ｄ）は（Ｃ）の部分的な側断面図である。
【図２】図１の実施例による伝票本体の平面図である。
【図３】図１の実施例による伝票の通常の配送伝票としての使用状態を示したものであり、（Ａ）は伝票表面の平面図であり、（Ｂ）は伝票裏面の平面図であり、（Ｃ）は伝票が貼着された旅行鞄の外側底面の平面図である。
【図４】図１の実施例による伝票のＩＣタグとしての使用状態を示したものであり、（Ａ）は伝票裏面の平面図であり、（Ｂ）は伝票が取っ手に巻着された旅行鞄の側面図である。
【図５】図１の実施例による伝票がＩＣタグとして使用された後の状態を示したものであり、（Ａ）は旅行鞄の取っ手から伝票のフラップ部が切り離される状態を示し、（Ｂ）は切り離された伝票のフラップ部分が貼着された旅行鞄の外側底面の平面図である。
【図６】図１の実施例によるＩＣタグインレットの平面図である。
【符号の説明】
【００１９】
１  伝票本体
２  袋
３  荷物配送管理情報記入欄
４  ミシン目
５  荷送人控え
６  荷受人控え兼荷札
７  到着原票
８  ＩＣタグインレット
９  ＩＣチップ
１０  アンテナ回路
１１  シート基材
１２  粘着剤層
１３ａ〜１３ｆ  剥離紙
１４  巻付け部分
１５  フラップ部分
１６  切取線
１７  第１の切断線
１８ａ、１８ｂ  第２の切断線
１９  開口
【図１】
2005055752.tif 000003
【図２】
2005055752.tif 000004
【図３】
2005055752.tif 000005
【図４】
2005055752.tif 000006
【図５】
2005055752.tif 000007
【図６】
2005055752.tif 000008